(57)【特許請求の範囲】
【請求項１】
表面に原稿が載置される光透過部材と、
前記光透過部材の周囲に当該光透過部材に隣接して設けられる周辺部材と、
前記光透過部材と前記周辺部材の裏面側に設けられ、主走査方向に並んで配置された複数の読取素子を有し、前記読取素子が前記主走査方向において前記光透過部材と前記周辺部材とを含む範囲に亘って配置されている読取部と、
前記光透過部材に対向する範囲において前記光透過部材の表面側に設けられ、
前記光透過部材の全てを覆わず、前記光透過部材の一部を覆い、前記光透過部材に載置された原稿を前記光透過部材に押圧する押圧部と、
ＣＰＵと、
を備え、
前記ＣＰＵは、
前記光透過部材に原稿が載置されていない状態、かつ、前記押圧部が前記光透過部材を押圧した状態で、前記読取部が前記周辺部材の一部と前記押圧部の一部と前記光透過部材の前記主走査方向の一辺を全て含む範囲を読み取った読取結果に対してエッジ処理を行い、基準値を超えるデータを直線近似によって得られたエッジ位置を決定する判別処理と、
前記判別処理によって得られた前記エッジ位置のうち、前記周辺部材における前記光透過部材と隣接しない側の辺から前記主走査方向と直交する副走査方向に最も遠いエッジ位置を前記光透過部材に載置された原稿を読み取る読取範囲の外線に設定する設定処理と、
を実行する画像読取装置。
【発明の詳細な説明】
【技術分野】
【０００１】
本発明は、画像読取装置において、原稿を読み取る読取範囲を設定する技術に関する。
【背景技術】
【０００２】
従来から、原稿を読み取った読取結果を印刷用紙の印刷面全面に、つまり、印刷面に余白部分が残らないように印刷する、いわるゆ「縁無し印刷」技術が知られている（例えば、特許文献１）。従来技術では、原稿を読み取る読取範囲を原稿の読取面の端辺から一定の値に定められたマージンだけ狭い範囲に設定しておき、この読取範囲で原稿の読取面を読み取った読取結果を拡大して印刷用紙の印刷面全面に印刷している。
【先行技術文献】
【特許文献】
【０００３】
【特許文献１】特開２００４−２９７７８１号公報
【発明の概要】
【発明が解決しようとする課題】
【０００４】
読取範囲を設定するマージンは、例えば意図せず原稿周辺部分が読取結果に入るのを抑制するため、設定されていることが好ましい。しかし、マージンが一定の値に設定されていると問題となることがある。
【０００５】
通常、マージンは、装置の使用による経年劣化を考慮して比較的広く設定されていることが多い。そのため、装置の使用開始時には、一定の値に定められたマージンが必要とされるマージンよりも広く設定されているため、読取範囲が必要以上に縮小されてしまう問題が生じていた。また、装置の長期使用後には、一定の値に定められたマージンが必要とされるマージンよりも狭くなることがあり、意図せず原稿以外の部分が読取結果に入るのを抑制できない問題が生じていた。
【０００６】
本明細書では、読取範囲の原稿を読み取る画像読取装置において、装置状態に応じて読取範囲を設定する技術に関する。
【課題を解決するための手段】
【０００７】
本明細書によって開示される画像読取装置は、表面に原稿が載置される光透過部材と、前記光透過部材の周囲に当該光透過部材に隣接して設けられる周辺部材と、前記光透過部材と前記周辺部材の裏面側に設けられ、前記光透過部材に載置された原稿を読み取る読取部と、前記光透過部材に原稿が載置されていない状態で、前記読取部が前記光透過部材と前記周辺部材とを含む範囲を読み取った読取結果から、前記光透過部材と前記周辺部材との境界を判別する判別部と、前記判別部が判別した前記境界から、前記光透過部材に載置された原稿を読み取る読取範囲を設定する設定部と、を備える。
【０００８】
また、上記の画像読取装置では、前記読取部は、主走査方向に並んで配置された複数の読取素子を有し、各読取素子を用いて読み取りを行うとともに、前記読取素子が前記主走査方向において前記光透過部材と前記周辺部材とを含む範囲に亘って配置されており、前記判別部は、前記複数の読取素子が前記主走査方向に読み取った読取結果を基準値と比較した結果に基づいて、主走査方向における前記境界を判別する構成としても良い。
【０００９】
また、上記の画像読取装置では、前記読取部を前記主走査方向と直交する副走査方向に前記光透過部材と前記周辺部材とを含む範囲に亘って移動させる駆動部を備え、前記判別部は、前記駆動部が前記読取部を前記副走査方向に移動させた際に、前記読取部の各読取素子が副走査方向において規定間隔毎に設定された読取位置で読み取った読取結果を前記基準値と比較した結果に基づいて、副走査方向における前記境界を判別する構成としても良い。
【００１０】
また、上記の画像読取装置では、前記光透過部材は、表面から見て方形をしているとともに、隣接する２辺が主走査方向及び副走査方向に沿う方向に配置されており、前記設定部は、主走査方向と副走査方向の少なくとも一方における前記境界を直線近似して前記読取範囲を設定する構成としても良い。
【００１１】
また、上記の画像読取装置では、前記設定部は、前記境界が前記読取範囲に含まれないように当該読取範囲を設定する構成としても良い。
【００１２】
また、上記の画像読取装置では、前記設定部は、前記境界から前記読取範囲を設定可能な最大読取範囲を設定し、当該最大読取範囲から前記読取範囲を設定する構成としても良い。
【００１３】
また、本明細書によって開示される画像読取装置は、表面に原稿が載置される光透過部材と、前記光透過部材の周囲に当該光透過部材に隣接して設けられる周辺部材と、前記光透過部材と前記周辺部材の裏面側に設けられ、前記光透過部材に載置された原稿を読み取る読取部と、前記光透過部材に対向する範囲において前記光透過部材の表面側に設けられ、前記光透過部材に載置された原稿を前記光透過部材に押圧する押圧部と、前記光透過部材に原稿が載置されていない状態で、前記読取部が前記光透過部材と前記周辺部材と前記押圧部とを含む範囲を読み取った読取結果から、前記押圧部端辺である境界を判別する判別部と、前記判別部が判別した前記境界から、前記光透過部材に載置された原稿を読み取る読取範囲を設定する設定部と、を備える構成としても良い。
【発明の効果】
【００１４】
本明細書によって開示される画像読取装置では、光透過部材に原稿が載置されていない状態で、読取部が光透過部材と周辺部材とを含む範囲を読み取った読取結果から光透過部材に載置された原稿を読み取る読取範囲を設定する。つまり、この画像読取装置では、現状の装置を用いて読み取った読取結果に基づいて読取範囲を設定する。この画像読取装置によれば、装置の使用開始時には、境界から読取範囲までのマージンを、経年劣化を考慮して比較的広めに設定される従来技術の規定値よりも狭く設定することができ、光透過部材に載置された原稿を従来技術よりも広い範囲で読み取ることができる。また、装置の長期使用後において、境界から読取範囲までに必要とされるマージンが予め設定される従来技術の規定値よりも広くなった場合には、それに応じてマージンを設定することができ、意図せず周辺部材が読取範囲に含まれることを抑制することができる。
【図面の簡単な説明】
【００１５】
【図１】画像読取装置１０の概略的な断面図
【図２】画像読取装置１０の電気的構成を概略的に示すブロック図
【図３】実施形態１の載置部１２を示す図
【図４】読取範囲設定処理を示すフローチャート
【図５】読取範囲設定処理を示すフローチャート
【図６】読取処理を示すフローチャート
【図７】第１端辺Ｇ１における境界位置Ｌ１を説明するための図
【図８】第２端辺Ｇ２における境界位置Ｌ２を説明するための図
【図９】実施形態２の載置部１２を示す図
【発明を実施するための形態】
【００１６】
＜実施形態＞
本実施形態を、図１ないし図８を用いて説明する。
【００１７】
１．複合機の機械的構成
図１は、画像読取装置１０の側面概略図である。なお、以下の説明では、図１の紙面左右方向を前後方向（紙面左側を前方、紙面右側を後方）とし、当該前後方向と直交する紙面直交方向を左右方向（紙面奥側を左方向、紙面手前側を右方向）とする。
【００１８】
画像読取装置１０は、装置本体１１を備えており、その装置本体１１の上部に、原稿３０が載置される載置部１２と、載置部１２に載せられた原稿３０を読み取る読取部１３が設けられている。
【００１９】
（載置部の構成）
図３に、載置部１２及び読取部１３の上面図及びIII−III断面における断面図を示す。載置部１２は、台枠５１、透明なガラス板からなるプラテンガラス（光透過部材の一例）５２、白基準板５３、黒基準板５４を含む。プラテンガラス５２は、その周囲に台枠５１が隣接して設けられており、表面から見て長方形状をしているとともに、その隣接する２辺が前後方向及び左右方向に沿って配置されている。
【００２０】
プラテンガラス５２は、原稿カバー１８によって開閉可能に覆われており、その表面に原稿３０を載置することができる。原稿カバー１８のプラテンガラス５２と当接する面には、当接時の衝撃を和らげるためのスポンジ（押圧部の一例）が配置され、当該スポンジのプラテンガラス５２と当接する面には、一定の反射率を有する白基準シート１９が付されている。白基準板５３及び黒基準板５４は、プラテンガラス５２の左方向に隣接して配置されている。白基準板５３は、前後方向においてプラテンガラス５２を含む範囲に設けられている。黒基準板５４は、前後方向及び左右方向において白基準板５３よりも幅狭に形成されており、白基準板５３の前後方向の各々の端部であって、白基準板５３の右方向の端部に揃えて配置されている。
【００２１】
読取部１３は、白基準板５３を用いてシェーディング補正等に必要な白基準データを取得し、黒基準板５４を用いてシェーディング補正等に必要な黒基準データを取得する。また、読取部１３は、白基準板５３と黒基準板５４の境界を用いて、左右方向、すなわち読取副走査方向（副走査方向の一例）における自身の位置情報を検出するとともに、前後方向、すなわち読取主走査方向（主走査方向の一例）における自身の原点位置を検出する。すなわち、白基準板５３と黒基準板５４は、読取部１３の読取主走査方向及び読取副走査方向における位置を検出するための検出マークとして機能している。
【００２２】
本実施形態では、白基準板５３と黒基準板５４Ａの読取主走査方向における境界は、後述する読取範囲Ｈ２よりも前方に配置されており、白基準板５３と黒基準板５４Ａの読取副走査方向における境界は、後述する読取範囲Ｈ１よりも左方向に配置されている。
【００２３】
（読取部の構成）
読取部１３は、例えばＣＩＳ（Ｃｏｎｔａｃｔ  Ｉｍａｇｅ  Ｓｅｎｓｏｒ）であり、前後方向に複数のセンサ（読取素子の一例）１５が１列並んで配置されているとともに、その近傍に複数の光源が複数列並んで配置されて構成されている。読取部１３のセンサ１５は、図３の上面図に一点鎖線で示すように、読取主走査方向において台枠５１とプラテンガラス５２を含む範囲に亘って配置されている。
【００２４】
また、読取部１３は、図示しないモータから伝達される動力により、左右方向に延びるガイド軸１４（図１参照）に沿って移動される。読取部１３は、台枠５１及びプラテンガラス５２の裏面側を読取副走査方向において基準板５３、５４、台枠５１、プラテンガラス５２を含む範囲に亘って移動可能に設けられる。読取部１３は、読取副走査方向に基準板５３、５４、台枠５１、プラテンガラス５２を含む範囲に亘って移動し、センサ１５を用いて、基準板５３、５４、台枠５１、プラテンガラス５２の裏面を読み取るとともに、プラテンガラス５２の表面上に載置された原稿３０を読み取る。
【００２５】
載置部１２の前方には、操作部１６及び表示部１７が設けられている。操作部１６は、複数のボタンを備え、ユーザにより各種の指示の入力操作が可能である。表示部１７は、ディスプレイやランプ等を備え、各種の設定画面や装置の動作状態等を表示することが可能である。
【００２６】
２．複合機の電気的構成
図２は、画像読取装置１０の電気的構成を概略的に示すブロック図である。画像読取装置１０は、画像読取装置１０の各部を制御する制御ユニット２５を含む。制御ユニット２５は、図２に示すように、ＣＰＵ２６、ＲＯＭ２７、ＲＡＭ（記憶部の一例）２８を備えており、これらがバス２９を介して接続されているとともに、このバス２９に読取部１３、操作部１６、表示部１７、読取部１３を駆動する読取駆動部３１などが接続されている。
【００２７】
ＲＯＭ２７には、後述する印刷処理など、画像読取装置１０の各種動作を実行するためのプログラムが記憶されており、ＣＰＵ２６は、ＲＯＭ２７から読み出したプログラムに従って判断部４０、設定部４１等として機能し、各部の制御を行う。ＲＡＭ２８は、読取部１３から出力された読取データを記憶するバッファや、読取データから印刷データを生成する際の作業領域などとして使用される。
【００２８】
３．読取処理
次に、図４ないし図８を参照して、画像読取装置１０を用いて原稿３０を読み取る場合の、ＣＰＵ２６における処理について説明する。
【００２９】
（読取範囲設定処理）
ＣＰＵ２６は、画像読取装置１０を用いて原稿３０を読み取るに先だって、読取範囲Ｈを決定する読取範囲設定処理を実行する。図４及び図５に、ＣＰＵ２６が所定のプログラムに従って実行する読取部１３の読取範囲設定処理のフローチャートを示す。当該処理では、プラテンガラス５２の表面に原稿３０が載置されていない状態で、読取部１３を用いて台枠５１とプラテンガラス５２の境界部を読み取り、読取範囲Ｈを決定する。本実施形態では、台枠５１とプラテンガラス５２の境界部のうち、読取主走査方向に平行なプラテンガラス５２の第１端辺Ｇ１と、読取副走査方向に平行なプラテンガラス５２の第２端辺Ｇ２における台枠５１とプラテンガラス５２の境界位置Ｌを決定し、決定された境界位置Ｌから読取範囲Ｈを決定する。ＣＰＵ２６は、ユーザによって画像読取装置１０の電源がオンされると、処理を開始する。
【００３０】
ＣＰＵ２６は、処理を開始すると、まず、第１端辺Ｇ１における境界位置Ｌ１を決定する処理を実行する。ＣＰＵ２６は、境界位置Ｌ１を決定する際に読取部１３が台枠５１及びプラテンガラス５２の裏面を読み取る読取範囲Ｈ１を設定する（Ｓ２）。ＣＰＵ２６は、読取範囲Ｈ１として、読取主走査方向では、読取部１３のセンサ１５が配置された全範囲を指定し、読取副走査方向では、図３に示す範囲Ｈ１１を指定する。範囲Ｈ１１は、画像読取装置１０毎に予め設定されており、第１端辺Ｇ１近傍の台枠５１とプラテンガラス５２の両方を含む範囲に設定されている。
【００３１】
ＣＰＵ２６は、読取範囲Ｈ１を設定後、読取駆動部３１を用いて読取部１３を読取範囲Ｈ１に移動させ（Ｓ４）、読取部１３を用いて読取範囲Ｈ１を読み取る。ＣＰＵ２６は、読取部１３を読取副走査方向に移動させ、読取副走査方向において規定間隔Ｋ毎に設定された各読取位置で読取主走査方向に１ライン読み取りを行う（Ｓ６）。ＣＰＵ２６は、１ライン読み取りにおいて、各センサ１５を用いて読み取りを行い、各センサ１５が読み取ったアナログ信号である読取電圧をデジタル信号のラインエッジデータに変換し、ラインエッジデータをＲＡＭ２８に記憶する（Ｓ８）。
【００３２】
ＣＰＵ２６は、読取範囲Ｈ１に含まれる読取位置において１ライン読み取りを繰り返す（Ｓ１０でＮＯ）。判断部４０として機能するＣＰＵ２６は、読取範囲Ｈ１に含まれる全ての読取位置で１ライン読み取りを終了すると（Ｓ１０でＹＥＳ）、ＲＡＭ２８に記憶されたラインエッジデータを基準値Ｖと比較する。
【００３３】
本実施形態では、原稿カバー１８に付された白基準シート１９がプラテンガラス５２表面の全面を覆うように配置されている。そのため、各センサ１５では、原稿カバー１８によって覆われたプラテンガラス５２を読み取った読取電圧が、台枠５１を読み取った読取電圧よりも高くなり、その結果、プラテンガラス５２に対応するラインエッジデータが、台枠５１に対応するラインエッジデータよりも大きな値となる。ＣＰＵ２６は、ＲＡＭ２８に記憶されたラインエッジデータから、同一のセンサ１５が各読取位置において読み取ったデータ群を読み出す。ＣＰＵ２６は、当該データ群に対して基準値Ｖを用いて２値化処理等のエッジ処理を行い、データ群の値が基準値Ｖを超えて変化するエッジ位置Ｅ１１を決定する。
【００３４】
ＣＰＵ２６は、読取部１３の各センサ１５に対してエッジ位置Ｅ１１を決定し、図７に示すように、エッジ位置Ｅ１１が集合した第１端辺Ｇ１のエッジ位置Ｅ１を決定する（Ｓ１２）。ＣＰＵ２６は、エッジ位置Ｅ１を、第１端辺Ｇ１における台枠５１とプラテンガラス５２の境界と判別する。
【００３５】
ＣＰＵ２６は、エッジ位置Ｅ１を直線近似し（Ｓ１４）、近似直線Ｙ１を求める。設定部４１として機能するＣＰＵ２６は、近似直線Ｙ１がプラテンガラス５２の読取副走査方向に平行な端辺Ｇ２、Ｇ４と交わる交点Ｚ２、Ｚ４を算出する（Ｓ１６）。ＣＰＵ２６は、交点Ｚ２、Ｚ４のうち、読取部１３の検出マークとして機能する白基準板５３と黒基準板５４との読取副走査方向における境界から遠い交点（ここでは、交点Ｚ２）を選出し（Ｓ１８）、ＲＡＭ２８に記憶する。ＣＰＵ２６は、交点Ｚ２を通り読取主走査方向に平行な直線を、第１端辺Ｇ１における境界位置Ｌ１として設定する（Ｓ２０）。
【００３６】
次に、ＣＰＵ２６は、第２端辺Ｇ２における境界位置Ｌ２を決定する処理を実行する。ＣＰＵ２６は、境界位置Ｌ２を決定する際に読取部１３が台枠５１及びプラテンガラス５２の裏面を読み取る読取範囲Ｈ２を設定する（Ｓ２２）。ＣＰＵ２６は、読取範囲Ｈ２として、読取主走査方向では、図３に示す範囲Ｈ２１を指定し、読取副走査方向では、図３に示す範囲Ｈ２２を指定する。範囲Ｈ２１、Ｈ２２は、画像読取装置１０毎に予め設定されており、範囲Ｈ２１は、第２端辺Ｇ２近傍の台枠５１とプラテンガラス５２の両方を含む範囲に設定されている。また、範囲Ｈ２２は、読取副走査方向のプラテンガラス５２が配置された全範囲を含む。すなわち、範囲Ｈ２２には、プラテンガラス５２が配置された範囲の他、プラテンガラス５２の左方向に隣接する台枠５１及びプラテンガラス５２の左方向に隣接する台枠５１を含む範囲に設定されている。
【００３７】
ＣＰＵ２６は、読取範囲Ｈ２を設定後、読取駆動部３１を用いて読取部１３を読取範囲Ｈ２に移動させ（Ｓ２４）、読取部１３を用いて読取範囲Ｈ２を読み取る。ＣＰＵ２６は、読取部１３を読取副走査方向に移動させ、読取範囲Ｈ２に含まれる各読取位置で１ライン読み取りを行う（Ｓ２６）。ＣＰＵ２６は、１ライン読み取りにおいて、各センサ１５を用いて読み取りを行い、センサ１５のうち読取主走査方向において範囲Ｈ２１に含まれるセンサ１５が読み取った読取電圧をラインエッジデータに変換し、ラインエッジデータをＲＡＭ２８に記憶する（Ｓ２８）。
【００３８】
ＣＰＵ２６は、読取範囲Ｈ２に含まれる読取位置において１ライン読み取りを繰り返す（Ｓ３０でＮＯ）。判断部４０として機能するＣＰＵ２６は、読取範囲Ｈ２に含まれる全ての読取位置で１ライン読み取りを終了すると（Ｓ３０でＹＥＳ）、ＲＡＭ２８に記憶されたラインエッジデータを基準値Ｖと比較する。ＣＰＵ２６は、ＲＡＭ２８に記憶されたラインエッジデータから、同一の読取位置において各センサ１５が読み取ったデータ群を読み出す。ＣＰＵ２６は、当該データ群に対して基準値Ｖを用いて２値化処理等のエッジ処理を行い、データ群の値が基準値Ｖを超えて変化するエッジ位置Ｅ２１を決定する。
【００３９】
ＣＰＵ２６は、読取部１３の各読取位置に対してエッジ位置Ｅ２１を決定し、図８に示すように、エッジ位置Ｅ２１が集合した第２端辺Ｇ２のエッジ位置Ｅ２を決定する（Ｓ３２）。ＣＰＵ２６は、エッジ位置Ｅ２を、第１端辺Ｇ１における台枠５１とプラテンガラス５２の境界と判別する。
【００４０】
ＣＰＵ２６は、エッジ位置Ｅ２を直線近似し（Ｓ３４）、近似直線Ｙ２を求める。設定部４１として機能するＣＰＵ２６は、近似直線Ｙ２がプラテンガラス５２の読取主走査方向に平行な端辺Ｇ１、Ｇ３と交わる交点Ｚ１、Ｚ３を算出する（Ｓ３６）。ＣＰＵ２６は、交点Ｚ１、Ｚ３のうち、読取部１３の検出マークとして機能する白基準板５３と黒基準板５４との読取主走査方向における境界から近い交点（ここでは、交点Ｚ１）を選出し（Ｓ３８）、ＲＡＭ２８に記憶する。ＣＰＵ２６は、交点Ｚ１を通り読取副走査方向に平行な直線を、第２端辺Ｇ２における境界位置Ｌ２として設定する（Ｓ４０）。
【００４１】
次に、ＣＰＵ２６は、境界位置Ｌ１、Ｌ２から読取範囲Ｈを設定する（Ｓ４２）。図７及び図８に示すように、載置部１２では、プラテンガラス５２に原稿３０が載置される際に、第１端辺Ｇ１及び第２端辺Ｇ２を基準として原稿３０が載置され、また原稿３０が載置される基準位置ＫＬが予め決定されている。ＣＰＵ２６は、基準位置ＫＬ１と境界位置Ｌ１の間に位置する読取禁止範囲Ｒ１を決定する（図７参照）。また、ＣＰＵ２６は、第２端辺Ｇ２における基準位置ＫＬ２と境界位置Ｌ２の間に位置する読取禁止範囲Ｒ２を決定する（図８参照）。ＣＰＵ２６は、プラテンガラス５２に原稿３０が載置される範囲の読取副走査方向の両端辺から読取禁止範囲Ｒ１を除き、読取主走査方向の両端辺から読取禁止範囲Ｒ２を除いた範囲を、二点鎖線で示す読取範囲Ｈとして設定する（図３、７、８参照）。ＣＰＵ２６は、設定した読取範囲ＨをＲＡＭ２８に記憶し、読取範囲設定処理を終了する。この読取範囲Ｈは、原稿周辺部分が読取結果に入らないように設定されることになり、装置状態に応じて読取範囲を適切に設定することができる。なお、図７、８では、理解のために読取禁止範囲Ｒ１、Ｒ２を実際よりも広く示している。
【００４２】
（読取処理）
次に、読取処理について説明する。図６に、ＣＰＵ２６が所定のプログラムに従って実行する読取処理のフローチャートを示す。ＣＰＵ２６は、ユーザによって載置部１２に原稿３０が載置され、操作部５を介して原稿３０の読取指示が入力されると、処理を開始する。
【００４３】
ＣＰＵ２０は、処理を開始すると、ＲＡＭ２８から読取範囲Ｈを読み出す（Ｓ５２）。ＣＰＵ２０は、読み出した読取範囲Ｈに基づいて、読取部１３を第１端辺Ｇ１における境界位置Ｌ１に移動させ（Ｓ５４）、読取部１３を用いて読取範囲Ｈを読み取る（Ｓ５６）。
【００４４】
ＣＰＵ２６は、読取部１３を読取副走査方向に移動させ、読取範囲Ｈに含まれる各読取位置で１ライン読み取りを行う。ＣＰＵ２６は、１ライン読み取りにおいて、各センサ１５を用いて読み取りを行い、センサ１５のうち読取主走査方向において読取範囲Ｈに含まれるセンサ１５が読み取った読取電圧をラインエッジデータに変換し、ラインエッジデータをＲＡＭ２８に記憶する。ＣＰＵ２６は、読取範囲Ｈに含まれる読取位置において１ライン読み取りを繰り返し、読取範囲Ｈ２に含まれる全ての読取位置で１ライン読み取りを行い、印刷処理を終了する。
【００４５】
４．本実施形態の効果
（１）本実施形態の画像読取装置１０では、プラテンガラス５２の表面に原稿３０が載置されていない状態で、読取部１３を用いて台枠５１とプラテンガラス５２の境界部を読み取ったラインエッジデータから原稿３０を読み取る読取範囲Ｈを設定する。つまり、この画像読取装置１０では、現状の装置１０を用いて読み取ったデータに基づいて読取範囲Ｈを設定する。この読取範囲Ｈは、原稿周辺部分が読取結果に入らないように設定されており、この画像読取装置１０によれば、装置１０の使用開始時には、境界から読取範囲Ｈまでの読取禁止範囲Ｒを、比較的広めに設定される従来技術の規定範囲よりも、画像読取装置１０に応じて狭く設定することができ、原稿３０を従来技術よりも広い範囲で読み取ることができる。
【００４６】
また、装置１０の長期使用後では、境界から読取範囲Ｈまでに必要とされる読取禁止範囲Ｒが予め設定される従来技術の規定範囲よりも広くなることがある。本実施形態の画像読取装置１０では、上記の場合に、それに応じて読取禁止範囲Ｒを設定することができ、意図せず台枠５１が読取範囲Ｈに含まれることを抑制することができる。
【００４７】
（２）本実施形態の画像読取装置１０では、読取部１３が読取位置において読取主走査方向に１ライン読み取りを行い、読取主走査方向に隣り合うセンサ１５が読み取ったラインエッジデータが、基準値Ｖを超えて変化した場合に、当該隣り合うセンサ１５の中間位置を読取主走査方向におけるエッジ位置Ｅ２１として決定する。これにより、各読取位置におけるエッジ位置Ｅ２１を併せて、第２端辺Ｇ２における台枠５１とプラテンガラス５２の境界であるエッジ位置Ｅ２を判別することができる。
【００４８】
（３）本実施形態の画像読取装置１０では、読取部１３のセンサ１５が読取副走査方向に移動しながら複数の読取位置において読み取りを繰り返し、同一のセンサ１５が各読取位置において読み取ったラインエッジデータが、基準値Ｖを超えて変化した場合に、当該隣り合う読取位置の中間位置を読取副走査方向におけるエッジ位置Ｅ１１として決定する。これにより、各センサ１５におけるエッジ位置Ｅ１１を併せて、第１端辺Ｇ１における台枠５１とプラテンガラス５２の境界であるエッジ位置Ｅ１を判別することができる。
【００４９】
（４）本実施形態の画像読取装置１０では、プラテンガラス５２が表面から見て方形をしており、台枠５１とプラテンガラス５２との境界は直線状となる。そのため、台枠５１とプラテンガラス５２の境界において、ある位置における境界が、その周辺位置における境界と大きく異なる場合、当該位置における境界は、ノイズ等の影響を受けていることが考えられる。この画像読取装置１０によれば、境界を直線近似することで、ノイズ等の影響を除去して、読取範囲Ｈを設定することができる。
【００５０】
（５）本実施形態の画像読取装置１０では、読取禁止範囲Ｒ１を境界位置Ｌ１に基づいて決定しており、境界位置Ｌ１をエッジ位置Ｅ１を直線近似した近似直線Ｙ１が読取副走査方向に平行な端辺Ｇ２、Ｇ４と交わる交点Ｚ２、Ｚ４のうち、読取部１３の検出マークから遠い交点に基づいて決定する。この画像読取装置１０によれば、近似直線Ｙ１が読取禁止範囲Ｒ１に完全に含まれるように読取禁止範囲Ｒ１を決定することができる。つまり、直線近似された台枠５１とプラテンガラス５２との境界が完全に読取禁止範囲Ｒ１に含まれるように読取禁止範囲Ｒ１を決定することができ、台枠５１が読取範囲Ｈに含まれることを確実に防止することができる。
【００５１】
同様に、本実施形態の画像読取装置１０では、読取禁止範囲Ｒ２を境界位置Ｌ２に基づいて決定しており、境界位置Ｌ２をエッジ位置Ｅ２を直線近似した近似直線Ｙ２が読取副走査方向に平行な端辺Ｇ１、Ｇ３と交わる交点Ｚ１、Ｚ３のうち、読取部１３の検出マークから近い交点に基づいて決定する。この画像読取装置１０によれば、近似直線Ｙ２が読取禁止範囲Ｒ２に完全に含まれるように読取禁止範囲Ｒ２を決定することができる。つまり、直線近似された台枠５１とプラテンガラス５２との境界が完全に読取禁止範囲Ｒ２に含まれるように読取禁止範囲Ｒ２を決定することができ、台枠５１が読取範囲Ｈに含まれることを確実に防止することができる。
【００５２】
＜実施形態２＞
実施形態２を、図９を用いて説明する。本実施形態では、図９に示すように、原稿カバー１８に付された白基準シート１９がプラテンガラス５２表面の全面を覆っていない点で、実施形態１と異なる。以下の説明では、実施形態１と同一の内容については重複した記載を省略する。
【００５３】
１．読取処理
本実施形態では、読取部１３の各センサ１５において、原稿カバー１８によって覆われたプラテンガラス５２のうち、白基準シート１９によって覆われた範囲Ｘ１を読み取った読取電圧が、白基準シート１９によって覆われていない範囲Ｘ２を読み取った読取電圧よりも高くなる。また、台枠５１が設けられた範囲Ｘ３を読み取った読取電圧は、範囲Ｘ１を読み取った読取電圧よりも低くなるとともに、範囲Ｘ１を読み取った読取電圧よりも高くなる。その結果、範囲Ｘ１ないしＸ３に対応するラインエッジデータが、範囲Ｘ２、範囲Ｘ３、範囲Ｘ１の順に大きな値となる。
【００５４】
本実施形態では、基準値ＶがＸ２に対応するラインエッジデータとＸ３に対応するラインエッジデータの間の値に設定されており、ＣＰＵ２６は、基準値Ｖを用いて範囲Ｘ３と範囲Ｘ２との間のエッジ位置（境界の一例）Ｅ４と、範囲Ｘ２と範囲Ｘ１との間のエッジ位置Ｅ３とを決定する。ＣＰＵ２６は、決定されたエッジ位置Ｅ３、Ｅ４のうち、基準位置ＫＬから遠い側に配置されるエッジ位置Ｅ４を選出し、読取範囲を、当該エッジ位置Ｅ４に基づいて決定される。
【００５５】
本実施形態の画像読取装置１０では、原稿カバー１８に付された白基準シート１９がプラテンガラス５２表面の全面を覆っていない場合に、プラテンガラス５２が設けられた範囲のうち、白基準シート１９によって覆われた範囲Ｘ１と白基準シート１９によって覆われていない範囲Ｘ２のエッジ位置Ｅ４を検出しておく。押圧部と周辺部に隙間がある原稿は光を透過してしまし、色の再現が難しいため、隙間は読取範囲に含めないようにしたい。本実施形態の画像読取装置１０によれば、エッジ位置Ｅ４を選出し、その位置に基づいて読取範囲を設定することで、押圧部と周辺部の間の隙間を読取範囲に含めないようにすることができる。
【００５６】
＜他の実施形態＞
本発明は上記記述及び図面によって説明した実施形態に限定されるものではなく、例えば次のような種々の態様も本発明の技術的範囲に含まれる。
（１）上記実施形態では、画像読取装置１０が１つの制御ユニット２５を有し、判断部４０、設定部４１の機能を制御ユニット２５が有する１つのＣＰＵ２６によって実行する例を用いて示したが、本発明はこれに限られない。例えば、お互いに異なるＣＰＵ、制御ユニットなどによって各部が構成されても良い。
【００５７】
（２）上記実施形態では、境界位置Ｌ１、Ｌ２から直接読取範囲Ｈを設定する例を用いて説明を行ったが、本実施形態はこれに限られない。例えば、境界位置Ｌ１、Ｌ２から読取範囲Ｈを設定可能な最大読取範囲Ｈｍａｘ（図７、８参照）が設定されても良い。この場合、ＣＰＵ２６が境界位置Ｌ１、Ｌ２から最大読取範囲Ｈｍａｘを設定した後に、表示部１７等を用いて最大読取範囲Ｈｍａｘ内で設定される読取範囲Ｈをユーザに設定を求める。ＣＰＵ２６は、ユーザから読取範囲Ｈが設定されると、その読取範囲Ｈに基づいて読み取りを行う。
【００５８】
（３）上記実施形態では、エッジ位置Ｅを直線近似し、求めた近似直線Ｙから境界位置Ｌを設定する例を用いて説明を行ったが、必ずしもエッジ位置Ｅを直線近似する必要はない。例えば、エッジ位置Ｅを直線近似せず、エッジ位置Ｅのうち、読取副走査方向においては、読取部１３の検出マークから最も遠いエッジ位置Ｅを、読取主走査方向に平行な端辺Ｇにおける境界位置Ｌとしても良い。また、読取主走査方向においては、読取部１３の検出マークから最も近いエッジ位置Ｅを、読取副走査方向に平行な端辺Ｇにおける境界位置Ｌとしても良い。
【００５９】
（４）上記実施形態では、、載置部１２に含まれる透過部材を、プラテンガラス５２を用いて説明したが、その材質は特に限定されず、透過率の比較的高いプラスチック等で構成されていても良い。
【００６０】
（５）上記実施形態では、読取部１３がＣＩＳである例を用いて説明を行ったが、ＣＩＳは読取部１３を構成する読取デバイスの一例である。読取部１３は、ＣＣＤ（Ｃｈａｒｇｅ  Ｃｏｕｐｌｅｄ  Ｄｒｉｖｅ  Ｉｍａｇｅ  Ｓｅｎｓｏｒ）を含んで構成されていても良い。
【符号の説明】
【００６１】
１０：画像読取装置、１２：載置部、１３：読取部、１５：センサ、１８：原稿カバー、１９：白基準シート、２５：制御ユニット、２６：ＣＰＵ、４０：判断部、４１：設定部、５１：台枠、５２：プラテンガラス、５３：白基準板、５４：黒基準板、Ｅ：エッジ位置、Ｇ：端辺、Ｈ：読取範囲、ＫＬ：基準位置、Ｌ：境界位置、Ｒ：読取禁止範囲
【図１】
0005914990.tif 000002
【図２】
0005914990.tif 000003
【図３】
0005914990.tif 000004
【図４】
0005914990.tif 000005
【図５】
0005914990.tif 000006
【図６】
0005914990.tif 000007
【図７】
0005914990.tif 000008
【図８】
0005914990.tif 000009
【図９】
0005914990.tif 000010